(57)【特許請求の範囲】
【請求項１】
車両の速度を検知する速度検知手段（２１ＦＬ〜２１ＲＲ）と、車輪に制動力が加えられた状態で前記速度検知手段（２１ＦＬ〜２１ＲＲ）の検知した速度が基準速度よりも小さくなったときに、ショック緩和制御を開始し、車輪に加える制動力を車両の速度に応じて減少させる制御を行なう制御部（１４）とを有する車両用ブレーキ制御装置において、車両の減速度に対応する信号を出力する信号出力手段（Ｓ４）と、その信号出力手段（Ｓ４）からの信号に応じて前記基準速度を変化させる基準速度変化手段（Ｓ２３）とを設け、前記制御部（１４）は、前記ショック緩和制御を開始した時の車両の速度を制御開始速度とすると共に、前記ショック緩和制御中に、車輪に加える制動力を、制動操作により運転者が要求する制動力である現在の制動操作量に前記制動開始速度に対する現在の車両の速度の比率を乗じた制動力に設定することを特徴とする車両用ブレーキ制御装置。
【請求項２】
前記基準速度変化手段（Ｓ２３）が、前記信号出力手段（Ｓ４）からの信号に対応する減速度に比例して前記基準速度を変化させる請求項１に記載の車両用ブレーキ制御装置。
【請求項３】
前記信号出力手段が、前記速度検知手段（２１ＦＬ〜２１ＲＲ）で検知された速度に基づいて車両の減速度を算出し、その算出した減速度に対応する信号を出力する請求項１または２に記載の車両用ブレーキ制御装置。
【請求項４】
前記信号出力手段が、マスターシリンダ（２）内の圧力を検知する液圧センサ（４Ａ，４Ｂ）またはホイールシリンダ（７ＦＬ〜７ＲＲ）内の圧力を検知する液圧センサ（９ＦＬ〜９ＲＲ）である請求項１または２に記載の車両用ブレーキ制御装置。
【請求項５】
前記信号出力手段が、ブレーキペダル（１）の踏み込み量を検知するストロークセンサまたはブレーキペダルの踏み込み力を検知する踏力センサである請求項１または２に記載の車両用ブレーキ制御装置。
【請求項６】
前記制御部（１４）による前記制動力を減少させる制御を、車両のクリープ走行を阻止するのに必要な制動力を下限として行なう請求項１から５のいずれかに記載の車両用ブレーキ制御装置。
【請求項７】
前記速度検知手段（２１ＦＬ〜２１ＲＲ）で検知した速度に基づいて車両の減速度を算出する減速度算出手段（Ｓ４）と、車両の前後方向の減速度を検知する前後Ｇセンサ（２２）とを設け、その前後Ｇセンサ（２２）で検知される減速度と前記減速度算出手段（Ｓ４）で算出される減速度とに基づいて路面の勾配を算出し、その勾配による走行を阻止するのに必要な制動力を下限として、前記制御部（１４）による前記制動力を減少させる制御を行なう請求項１から６のいずれかに記載の車両用ブレーキ制御装置。
【発明の詳細な説明】
【技術分野】
【０００１】
この発明は、車輪に加える制動力を自動的に減少させて車両停止時のショックを緩和する車両用ブレーキ制御装置に関する。
【背景技術】
【０００２】
車輪に加える制動力を自動的に減少させて車両停止時のショックを緩和する車両用ブレーキ制御装置として、車両が減速して車両の速度が一定の基準速度よりも小さくなったときにショック緩和制御を開始し、車両の速度に比例した減速度で車両を減速させる車両用ブレーキ装置が知られている（特許文献１）。
【０００３】
しかし、このブレーキ制御装置は、ショック緩和制御を開始する基準速度が一定なので、車両を急速に減速させて停止させる場合、車両の速度が基準速度に達してから車両が停止するまでの時間が短い。そのため、ショック緩和制御による制動力の減少が急激となり、車両停止時のショックを十分に緩和することができない。一方、車両をゆっくりと減速させて停止させる場合は、車両の速度が基準速度に達してから停止するまでの時間が長くなるので、必要以上に早いタイミングで制動力が減少しはじめ、運転者に違和感を与える。
【特許文献１】特開２０００−６７８３号公報
【発明の開示】
【発明が解決しようとする課題】
【０００４】
この発明が解決しようとする課題は、車輪に加える制動力を減少させて車両停止時のショックを緩和する制御を、車両を急速に減速させて停止させる場合や車両をゆっくりと減速させて停止させる場合にも、運転者に違和感を与えることなく行なえるようにすることである。
【課題を解決するための手段】
【０００５】
上記の課題を解決するために、車両の速度を検知する速度検知手段と、車輪に制動力が加えられた状態で前記速度検知手段の検知した速度が基準速度よりも小さくなったときに、ショック緩和制御を開始し、車輪に加える制動力を車両の速度に応じて減少させる制御を行なう制御部とを有する車両用ブレーキ制御装置において、
車両の減速度に対応する信号を出力する信号出力手段と、その信号出力手段からの信号に応じて前記基準速度を変化させる基準速度変化手段とを設け、前記制御部は、前記ショック緩和制御を開始した時の車両の速度を制御開始速度とすると共に、前記ショック緩和制御中に、車輪に加える制動力を、制動操作により運転者が要求する制動力である現在の制動操作量に前記制動開始速度に対する現在の車両の速度の比率を乗じた制動力に設定するようにした。
【０００６】
この車両用ブレーキ制御装置は、車両を急速に減速させて停止させる場合は、基準速度変化手段が信号出力手段からの信号に応じて基準速度を変化させることにより、車両の速度が基準速度に達してから停止するまでの時間を確保し、車両の速度が基準速度よりも小さくなったときにショック緩和制御を開始して、車輪に加える制動力を、現在の制動操作量にショック緩和制御開始速度に対する現在の車両の速度の比率を乗じた制動力に設定することで、制動力を緩やかに減少させて、車両停止時のショックを確実に緩和することができる。また、車両をゆっくりと減速させて停止させる場合も、基準速度変化手段が信号出力手段からの信号に応じて基準速度を変化させることにより、制動力を減少させるタイミングが必要以上に早くなるのを防止して、違和感なく車両停止時のショックを緩和することができる。
【０００７】
また、前記基準速度変化手段は、前記信号出力手段からの信号に対応する減速度に比例して前記基準速度を変化させるようにすると好ましい。
【０００８】
また、前記信号出力手段は、次のように構成するとより好ましい。
１）前記速度検知手段で検知された速度に基づいて車両の減速度を算出し、その算出した減速度に対応する信号を出力するように構成する。
２）マスターシリンダ内の圧力を検知する液圧センサまたはホイールシリンダ内の圧力を検知する液圧センサで構成する。
３）ブレーキペダルの踏み込み量を検知するストロークセンサまたはブレーキペダルの踏み込み力を検知する踏力センサで構成する。
【０００９】
また、この車両用ブレーキ制御装置は、次の構成を加えるとより好ましいものとなる。
１）前記制御部による前記制動力を減少させる制御を、車両のクリープ走行を阻止するのに必要な制動力を下限として行なうようにする。
２）前記速度検知手段で検知した速度に基づいて車両の減速度を算出する減速度算出手段と、車両の前後方向の減速度を検知する前後Ｇセンサとを設け、その前後Ｇセンサで検知される減速度と前記減速度算出手段で算出される減速度とに基づいて路面の勾配を算出し、その勾配による走行（自重による走行）を阻止するのに必要な制動力を下限として、前記制御部による前記制動力を減少させる制御を行なうようにする。
【発明の効果】
【００１０】
この発明のブレーキ制御装置は、車両の減速度に対応する信号に応じて基準速度を変化させるので、車両を急速に減速させて停止させる場合、車両の速度が基準速度に達してから停止するまでの時間を確保して制動力を緩やかに減少させ、車両停止時のショックを確実に緩和することができる。また、車両をゆっくりと減速させて停止させる場合も、制動力を減少させるタイミングが必要以上に早くなるのを防止して、違和感なく車両停止時のショックを緩和することができる。
【００１１】
さらに、前記信号出力手段からの信号に対応する減速度に比例して前記基準速度を変化させるように前記基準速度変化手段を構成したものは、車両を急速に減速させて停止する場合も車両をゆっくりと減速させて停止する場合も、制動力を減少させる制御が開始してからおよそ同じ時間で車両が停止するので、制動力を減少させる制御の開始タイミングが運転者の感覚に沿い、制動フィーリングにより優れる。
【００１２】
また、前記速度検知手段で検知された速度に基づいて車両の減速度を算出し、その算出した減速度に対応する信号を出力するように前記信号出力手段を構成したものは、その信号出力手段が、安定した検知が容易な車両の速度に基づいて減速度を算出するので、誤動作しにくく、信頼性が高い。
【００１３】
また、前記信号出力手段を、マスターシリンダ内の圧力を検知する液圧センサまたはホイールシリンダ内の圧力を検知する液圧センサで構成したものは、その液圧センサが、車両に減速度を生じさせる原因となるシリンダ内の圧力を検知する。そのため、車輪に制動力を加えて車両が減速したときの信号出力手段の応答性が良く、車両を急速に減速させて停止させる場合にも安定した制御が可能である。
【００１４】
また、前記信号出力手段を、ブレーキペダルの踏み込み量を検知するストロークセンサまたはブレーキペダルの踏み込み力を検知する踏力センサで構成したものも、そのストロークセンサまたは踏力センサが、車両に減速度を生じさせる原因となる運転者の制動操作を検知する。そのため、運転者が制動操作を行なって車両を減速させたときの信号出力手段の応答性が良く、車両を急速に減速させて停止させる場合にも安定した制御が可能である。
【００１５】
また、前記制御部による前記制動力を減少させる制御を、車両のクリープ走行を阻止するのに必要な制動力を下限として行なうようにしたものは、制御部が制動力を減少させる制御を行なうことにより車両が停止できずにクリープ走行する事態を防止することができる。
【００１６】
また、前後Ｇセンサで検知される減速度と減速度算出手段で算出される減速度とに基づいて路面の勾配を算出し、その勾配による走行を阻止するのに必要な制動力を下限として、前記制御部による前記制動力を減少させる制御を行なうようにしたものは、制御部が制動力を減少させる制御を行なうことにより車両が停止できずに勾配のある路面を走行する事態を防止することができる。
【発明を実施するための最良の形態】
【００１７】
図１に、この発明の実施形態の車両用ブレーキ制御装置を採用したブレーキシステムの配管系統図を示し、図２に、この発明の実施形態の車両用ブレーキ制御装置のブロック図を示す。このブレーキシステムは、ブレーキペダル１からの入力を電気信号に変換し、その電気信号を用いてブレーキペダル１の操作量に応じた制動力を車輪に加えるいわゆるブレーキバイワイヤ方式のブレーキシステムである。
【００１８】
図１に示すように、このブレーキシステムは、ブレーキペダル１の踏み込み力を液圧に変換するマスターシリンダ２を有する。マスターシリンダ２の圧力室２Ａで発生した液圧は、その圧力室２Ａに接続された入力管路３Ａの液圧センサ４Ａで検知され、他方の圧力室２Ｂで発生した液圧は、その圧力室２Ｂに接続された入力管路３Ｂの液圧センサ４Ｂで検知される。
【００１９】
入力管路３Ａには、ストロークシミュレータ５が取り付けられており、そのため、圧力室２Ａの液圧に応じたストロークがブレーキペダル１に付与される。ストロークシミュレータ５と入力管路３Ａの間にはシミュレータカット弁６が設けられている。
【００２０】
左前輪ＦＬには、制動力を発生させるホイールシリンダ７ＦＬが取り付けられている。このホイールシリンダ７ＦＬには、出力管路８ＦＬが接続されており、その出力管路８ＦＬから供給される液圧でホイールシリンダ７ＦＬが作動する。ホイールシリンダ７ＦＬ内の液圧は、出力管路８ＦＬに取り付けられた液圧センサ９ＦＬで検知される。
【００２１】
出力管路８ＦＬには、増圧管路１０と減圧管路１１がそれぞれ増圧制御弁１２ＦＬと減圧制御弁１３ＦＬを介して接続されている。増圧制御弁１２ＦＬおよび減圧制御弁１３ＦＬは、弁の開度を調節可能な比例制御弁であり、その開度調節は、図２に示す電子制御装置（以下、「ＥＣＵ」という）１４からの制御信号によって行なわれる。
【００２２】
同様に、右前輪ＦＲ、左後輪ＲＬ、右後輪ＲＲにもホイールシリンダ７ＦＲ、７ＲＬ、７ＲＲがそれぞれ取り付けられ、ホイールシリンダ７ＦＲ、７ＲＬ、７ＲＲ内の液圧は、そのホイールシリンダに接続された出力管路８ＦＲ、８ＲＬ、８ＲＲの液圧センサ９ＦＲ、９ＲＬ、９ＲＲでそれぞれ検知される。出力管路８ＦＲ、８ＲＬ、８ＲＲは、増圧制御弁１２ＦＲ、１２ＲＬ、１２ＲＲと減圧制御弁１３ＦＲ、１３ＲＬ、１３ＲＲを介して増圧管路１０と減圧管路１１に接続されている。
【００２３】
増圧管路１０と減圧管路１１はポンプ１５を介して互いに接続されており、このポンプ１５が減圧管路１１のブレーキ液を昇圧させて増圧管路１０に送り出す。増圧管路１０はリリーフ弁１６を介して減圧管路１１に接続されており、増圧管路１０の液圧が基準を超えると、増圧管路１０内のブレーキ液がリリーフ弁１６を通じて減圧管路１１に戻るようになっている。減圧管路１１は、余剰のブレーキ液を蓄えるリザーバタンク１７に接続されている。
【００２４】
一方、増圧管路１０には、増圧管路１０の圧力を検知する液圧センサ１８と、昇圧したブレーキ液を蓄えて増圧管路１０内の圧力を保持するアキュムレータ１９が取り付けられている。液圧センサ１８の検知信号はＥＣＵ１４に送られ、増圧管路１０内の圧力が所定値よりも小さくなるとＥＣＵ１４からの制御信号によりポンプ１５が駆動される。
【００２５】
入力管路３Ａと出力管路８ＦＬは、マスターカット弁２０Ａを介して接続されている。同様に、入力管路３Ｂと出力管路８ＦＲも、マスターカット弁２０Ｂを介して接続されている。
【００２６】
各車輪ＦＬ、ＦＲ、ＲＬ、ＲＲには、その車輪の回転速度を検知する車輪速センサ２１ＦＬ、２１ＦＲ、２１ＲＬ、２１ＲＲがそれぞれ取り付けられている。また、車両には、車両の前後方向の減速度を検知する前後Ｇセンサ２２が取り付けられている。
【００２７】
ＥＣＵ１４には、図２に示すように、液圧センサ４Ａ、４Ｂからマスターシリンダ２の液圧を示す信号、液圧センサ９ＦＬ〜９ＲＲからホイールシリンダ７ＦＬ〜７ＲＲの液圧を示す信号、液圧センサ１８から増圧管路１０の液圧を示す信号、車輪速センサ２１ＦＬ〜２１ＲＲから各車輪の回転速度を示す信号、前後Ｇセンサ２２から車両の前後方向の減速度を示す信号が入力される。また、ＥＣＵ１４からは、シミュレータカット弁６、マスターカット弁２０Ａ、２０Ｂ、増圧制御弁１２ＦＬ〜１２ＲＲ、減圧制御弁１３ＦＬ〜１３ＲＲ、ポンプ１５駆動用のモータ２３への制御信号が出力される。
【００２８】
このように構成されたブレーキ制御装置の制御を、図３〜図９に基づいて説明する。
【００２９】
図３に、この制御のメインルーチンを示す。まず、各種変数の初期化をおこない（ステップＳ１）、各センサからの入力信号を取り込む（ステップＳ２）。つづいて、各車輪ＦＬ〜ＲＲの回転速度に基づいて現在の車両の速度を演算し（ステップＳ３）、算出した車両の速度の時間変化から現在の車両の減速度を演算する（ステップＳ４）。
【００３０】
つぎに、マスターシリンダ２の液圧に基づいて制動操作量を演算する（ステップＳ５）。制動操作量は、制動操作により運転者が要求する制動力である。この制動操作量演算のサブルーチンを、図４に基づいて説明する。マスターシリンダ２が正常なときは（ステップＳ１０）、図５に示すように予め設定されたマスターシリンダ２の液圧と制動操作量の対応関係に基づいて、現在のマスターシリンダ２の液圧に対応する制動操作量を算出する（ステップＳ１１）。
【００３１】
一方、マスターシリンダ２に異常があるときは（ステップＳ１０）、制動操作量としてゼロを設定する（ステップＳ１２）。このとき、図１に示すようにマスターカット弁２０Ａ、２０Ｂを開くとともに、シミュレータカット弁６、増圧制御弁１２ＦＬ〜１２ＲＲ、減圧制御弁１３ＦＬ〜１３ＲＲを閉じて、マスターシリンダ２の液圧を直接、ホイールシリンダ７ＦＬ、７ＦＲに供給する（ステップＳ１３）。
【００３２】
つぎに、図６に示すサブルーチンに基づいて、車両停止時のショックを緩和する制御を開始／終了するか否かの判定を行なう（ステップＳ６）。まず、運転者が制動操作を行なっているか否かをマスターシリンダの液圧などに基づいて判定し（ステップＳ２０）、運転者が制動操作を行なっているときは、ショック緩和制御が既に開始されているか否かを判定する（ステップＳ２１）。
【００３３】
ショック緩和制御がまだ開始されていなければ、現在の車両の速度が規定の速度（たとえば時速１０ｋｍ）よりも小さいか否かを判定し（ステップＳ２２）、現在の車両の速度が時速１０ｋｍよりも小さいときは、その制動操作が停止を目的としたものであると考えられるので、基準速度として現在の車両の減速度の定数倍（たとえば１倍）を設定し（ステップＳ２３）、現在の車両の速度がその基準速度よりも小さいか否かを判定する（ステップＳ２４）。現在の車両の速度が基準速度よりも小さいときは、制御開始時速度として、現在の車両の速度を設定する（ステップＳ２５）とともに、ショック緩和制御を開始する（ステップＳ２６）。
【００３４】
一方、ショック緩和制御が既に開始されているときは（ステップＳ２１）、車両の速度がゼロの状態が一定時間（たとえば２秒間）継続しているか否かを判定し（ステップＳ２７）、２秒間継続しているときは、車両が完全に停止していると考えられるのでショック緩和制御を終了する（ステップＳ２８）。また、運転者がブレーキペダルから足を離したときなど制動操作を中止したときも（ステップＳ２０）、ショック緩和制御を終了する（ステップＳ２９）。
【００３５】
さらにつづいて、図７に示すサブルーチンに基づいて、ショック緩和制御により減少させる制動力の下限を演算する（ステップＳ７）。まず、前後Ｇセンサ２２で検知した車両の減速度から、車両の速度に基づいて算出した車両の減速度を減算して、路面の勾配による車両の加速度を得る（ステップＳ３０）。路面の勾配による加速度が正のときは（ステップＳ３１）、車両が下り坂にあると考えられるので、勾配による走行を阻止するのに必要なトルクとクリープトルクの合計を、制動力の下限として設定する（ステップＳ３２）。ここでクリープトルクは、車両のクリープ走行を阻止するのに必要な既定の制動力である。
【００３６】
一方、路面の勾配による加速度が負のときは（ステップＳ３１）、車両が上り坂にあると考えられるので、クリープトルクから勾配による走行を阻止するのに必要なトルクを減算して得られる制動力を、制動力の下限として設定する（ステップＳ３３）。
【００３７】
最後に、制動操作量と現在の車両の速度に基づいて、実際に各車輪ＦＬ〜ＲＲに発生させる制動力を演算する（ステップＳ８）。この制動力演算のサブルーチンを、図８に基づいて説明する。ショック緩和制御中のときは（ステップＳ４０）、制動操作量に、制御開始時速度に対する現在の車両の速度の比率を乗じたものを制動力として設定する（ステップＳ４１）。その制動力が制動力下限よりも小さいときは、制動力として制動力下限を設定する（ステップＳ４２）。一方、ショック緩和制御中でないときは（ステップＳ４０）、制動力として制動操作量を設定する（ステップＳ４３）。
【００３８】
このようにして得られる制動力が各車輪に加わるように、ＥＣＵ１４は、増圧制御弁１２ＦＬ〜１２ＲＲと減圧制御弁１３ＦＬ〜１３ＲＲに制御信号を出力する。すなわち、ＥＣＵ１４で算出した制動力と液圧センサ９ＦＬ〜９ＲＲの検知信号を比較して、ホイールシリンダ７ＦＬ〜７ＲＲの液圧を上昇させる必要があるときは、そのホイールシリンダに対応する増圧制御弁１２ＦＬ〜１２ＲＲを開くとともに減圧制御弁１３ＦＬ〜１３ＲＲを閉じる。また、ホイールシリンダ７ＦＬ〜７ＲＲの液圧を下降させる必要があるときは、そのホイールシリンダに対応する減圧制御弁１３ＦＬ〜１３ＲＲを開くとともに増圧制御弁１２ＦＬ〜１２ＲＲを閉じる。ホイールシリンダ７ＦＬ〜７ＲＲの液圧を変化させる必要が無くなったときは、増圧制御弁１２ＦＬ〜１２ＲＲと減圧制御弁１３ＦＬ〜１３ＲＲを両方閉じ、ホイールシリンダ７ＦＬ〜７ＲＲの液圧を保持する。
【００３９】
このブレーキ制御装置を用いると、図９（ａ）（ｂ）に示すように、車両を急速に減速させて停止させる場合は、車両の減速度が大きいので基準速度も大きくなる。そのため、車両の速度が基準速度に達してから停止するまでの時間が確保され、制動力が緩やかに減少し、車両停止時のショックが確実に緩和される。
【００４０】
また、図９（ｃ）（ｄ）に示すように、車両をゆっくりと減速させて停止させる場合は、車両の減速度が小さいので基準速度も小さくなる。そのため、ショック緩和制御を開始するタイミングが必要以上に早くなるのが防止され、車両停止時のショックが違和感なく緩和される。
【００４１】
さらに、制動力が現在の車両の速度に比例して減少するので、制動力の減少が滑らかである。そのため、制動フィーリングがよい。
【００４２】
また、車両の減速度を１倍したものを基準速度として設定しているので、図９（ａ）（ｂ）に示すように車両を急速に減速させて停止させる場合、ショック緩和制御が開始してから１秒あまりで車両が停止し、図９（ｃ）（ｄ）に示すように車両をゆっくりと減速させて停止させる場合も、ショック緩和制御が開始してから１秒あまりで車両が停止する。このように、減速度を定数倍したものを基準速度として設定しているので、減速の緩急にかかわらず、ショック緩和制御が開始してから車両が停止するまでの時間Ｔがおよそ同じとなる。そのため、ショック緩和制御の開始タイミングが運転者の感覚に沿い、制動フィーリングがよい。
【００４３】
また、ＥＣＵ１４が、安定した検知が容易な車輪速度に基づいて車両の減速度を算出し、その算出した減速度に応じて基準速度を変化させるので、基準速度の値が安定しやすい。そのため誤作動が少なく、信頼性が高い。
【００４４】
また、車両のクリープ走行を阻止するのに必要な制動力を制動力下限としてショック緩和制御を行なうので、ショック緩和制御で制動力が減少することにより車両が停止できずにクリープ走行する事態が防止される。そのため、安全性が高い。
【００４５】
また、路面の勾配による車両の走行を阻止するのに必要な制動力を制動力下限としてショック緩和制御を行なうので、車両が上り坂または下り坂にある場合でも、ショック緩和制御で制動力が減少することにより車両が停止できずに走行する事態が防止される。そのため、安全性が高い。
【００４６】
上記実施形態では、基準速度を車両の減速度に対応させて変化させたが、車両の減速度と連動するマスターシリンダ２の液圧に応じて基準速度を変化させてもよい。すなわち、液圧センサ４Ａ、４Ｂの検知信号に定数を乗じたものを基準速度として設定するようにしてもよい。このようにすると、液圧センサ４Ａ、４Ｂが、車両に減速度を生じさせるマスターシリンダ２内の圧力を検知するので、車両の減速度が変化したときの基準速度の変化の応答性が良い。そのため、車両を急速に減速させて停止させる場合にも、停止時のショックがより確実に緩和される。同様に、液圧センサ９ＦＬ〜９ＲＲの検知信号に定数を乗じたものを基準速度として設定し、ホイールシリンダ７ＦＬ〜７ＲＲの液圧に応じて基準速度が変化するようにしてもよい。
【００４７】
また、車両の減速度と連動するブレーキペダルの踏み込み量に応じて基準速度が変化するようにしてもよい。すなわち、ブレーキペダルの踏み込み量を検知するストロークセンサの検知信号に定数を乗じたものを基準速度として設定するようにしてもよい。このようにすると、そのストロークセンサが、車両に減速度を生じさせる運転者の制動操作を検知するので、運転者が制動操作を行なって車両の減速度が変化したときの基準速度の変化の応答性が良い。そのため、車両を急速に減速させて停止させる場合にも、停止時のショックがより確実に緩和される。同様に、ブレーキペダルの踏み込み力を検知する踏力センサの検知信号に定数を乗じたものを基準速度として設定し、ブレーキペダルの踏み込み力に応じて基準速度が変化するようにしてもよい。
【００４８】
上記実施形態では、運転者が制動操作を行なった場合の制動力についてショック緩和制御を行なっているが、車両の走行環境（車間距離など）に応じて自動で制動力を発生させる自動制動制御装置が自動ブレーキを行なう場合の制動力についても、同様のショック緩和制御を行なうことができる。
【図面の簡単な説明】
【００４９】
【図１】この発明の実施形態の車両用ブレーキ制御装置を採用したブレーキシステムの配管系統図
【図２】同上の車両用ブレーキ制御装置のブロック図
【図３】図２の車両用ブレーキ制御装置のＥＣＵが行なう制御のメインルーチンを示すフロー図
【図４】図３のステップＳ５の処理を示すフロー図
【図５】マスターシリンダと制動操作量の対応関係の一例を示す図
【図６】図３のステップＳ６の処理を示すフロー図
【図７】図３のステップＳ７の処理を示すフロー図
【図８】図３のステップＳ８の処理を示すフロー図
【図９】（ａ）は同上の車両用ブレーキ制御装置を採用した車両を急速に減速させて停止させたときの車両の速度の時間変化を示す図、（ｂ）は同上の車両用ブレーキ制御装置を採用した車両を急速に減速させて停止させたときの制動力の時間変化を示す図、（ｃ）は同上の車両用ブレーキ制御装置を採用した車両をゆっくりと減速させて停止させたときの車両の速度の時間変化を示す図、（ｄ）は同上の車両用ブレーキ制御装置を採用した車両をゆっくりと減速させて停止させたときの制動力の時間変化を示す図
【符号の説明】
【００５０】
１          ブレーキペダル
２          マスターシリンダ
４Ａ、４Ｂ  液圧センサ
７ＦＬ、７ＦＲ、７ＲＬ、７ＲＲ  ホイールシリンダ
９ＦＬ、９ＦＲ、９ＲＬ、９ＲＲ  液圧センサ
１４        ＥＣＵ
２１ＦＬ、２１ＦＲ、２１ＲＬ、２１ＲＲ  車輪速センサ
２２        前後Ｇセンサ
【図１】
0004706376.tif 000002
【図２】
0004706376.tif 000003
【図３】
0004706376.tif 000004
【図４】
0004706376.tif 000005
【図５】
0004706376.tif 000006
【図６】
0004706376.tif 000007
【図７】
0004706376.tif 000008
【図８】
0004706376.tif 000009
【図９】
0004706376.tif 000010